(57)【要約】【課題】  トナーカートリッジの取り外し時に付着トナーが落下するのを防止する。【解決手段】  カートリッジ本体３４に案内レールを設けてシャッター部材をこのレールに沿って移動可能とし、非装着時にトナーの供給開口部を内側シャッター体及びシャッター部材により閉塞しておく。そして、このシャッター部材に一体的に設けた係合部４２を係合案内部４３の案内棒４３ａ、４３ｂ間に係入し、トナーカートリッジを現像ユニットに装着する際に係合部を両案内棒により変位させてシャッター部材を開放位置まで移動させ、又取り外し時に係合部を逆方向に変位させてシャッター部材を供給開口部を閉塞する位置に戻す。【選択図】        図１
2006343560.tif 000002
【特許請求の範囲】
【請求項１】
トナーを供給するための供給用開口部が設けられているトナー保持体と、前記トナー保持体内に回動操作可能に配置され、前記回動操作で前記供給用開口部を内方から開閉する内側開閉体とを備えるトナー供給体を、トナーを受給するための現像部に装着する着脱機構であって、
前記トナー供給体に設けられ、前記供給用開口部を外方から閉塞し、かつ開放位置まで移動可能に取り付けられる外側開閉体と、
該外側開閉体に設けられる第１の係合部と、
前記現像部に設けられ、前記トナー供給体を前記現像部へ装着すると閉塞位置の前記外側開閉体を前記開放位置まで移動させるべく前記第１の係合部を移動案内する係合案内部と、
前記内側開閉体に設けられる第２の係合部と、
前記トナー供給体に設けられ、前記内側開閉体が前記供給用開口部を閉塞する位置のとき前記第２の係合部と係合する第３の係合部とを有し、
前記第２、第３の係合部が係合する部分は、前記外側開閉体が前記閉塞位置のとき前記外側開閉体で覆われ、前記外側開閉体が前記開放位置のとき露出される
ことを特徴とするトナー供給体の着脱機構。
【請求項２】
前記現像部に設けられ、前記トナー供給体の装着で前記第２、第３の係合部の係合を外す係合解除部材を有することを特徴とする請求項１記載のトナー供給体の着脱機構。
【請求項３】
前記現像部は、画像形成装置に交換可能に装着される現像ユニットであることを特徴とする請求項１又は２記載のトナー供給体の着脱機構。
【請求項４】
前記閉塞位置で前記外側開閉体の位置を位置決めする位置決め部材を有することを特徴とする請求項１乃至請求項３いずれかに記載のトナー供給体の着脱機構。
【請求項５】
前記外側開閉体の前記トナー保持体と対向する面に弾性体からなるシール部材が固着していることを特徴とする請求項１乃至請求項４いずれかに記載のトナー供給体の着脱機構。
【請求項６】
前記シール部材は、前記外側開閉体よりも長さ及び幅寸法が小さく、かつ前記供給用開口部に対応する部分が開口するように形成されていることを特徴とする請求項５記載のトナー供給体の着脱機構。
【請求項７】
トナーの受給される現像部に着脱可能に装着され、前記トナーを供給するための供給用開口部が設けられているトナー保持体と、前記トナー保持体内に回動操作可能に配置され、前記回動操作で前記供給用開口部を内側から開閉する内側開閉体とを備えるトナー供給体であって、
前記トナー保持体に設けられ、前記供給用開口部を外方から閉塞し、かつ開放位置まで移動可能に取り付けられる外側開閉体と、
該外側開閉体に設けられる第１の係合部と、
前記内側開閉体に設けられる第２の係合部と、
前記トナー供給体に設けられ、前記内側開閉体が前記供給用開口部を閉塞する位置のとき前記第２の係合部と係合する第３の係合部とを有し、
前記トナー供給体を前記現像部へ装着すると、前記第１の係合部は、前記現像部に設けた係合案内部により閉塞位置の前記外側開閉体を前記開放位置まで移動させるべく前記第１の係合部を移動案内され、
前記第２、第３の係合部が係合する部分は、前記外側開閉体が前記閉塞位置のとき前記外側開閉体で覆われ、前記外側開閉体が前記開放位置のとき露出される
ことを特徴とするトナー供給体。
【請求項８】
前記現像部への装着により前記第２、第３の係合部の係合は、前記現像部に設けられ係合解除部材により解除されることを請求項７記載のトナー供給体。
【請求項９】
前記現像部は、画像形成装置に交換可能に装着される現像ユニットであることを特徴とする請求項７又は請求項８記載のトナー供給体。
【請求項１０】
前記閉塞位置で前記外側開閉体の位置を位置決めする位置決め部材を有することを特徴とする請求項７乃至請求項９いずれかに記載のトナー供給体。
【請求項１１】
前記外側開閉体の前記トナー保持体と対向する面に弾性からなるシール部材が固着していることを特徴とする請求項７乃至請求項１０記載のトナー供給体。
【請求項１２】
前記シール部材は、前記外側開閉体よりも長さ及び幅寸法が小さく、かつ前記供給用開口部に対応する部分が開口するように形成されていることを特徴とする請求項１１記載のトナー供給体。
【請求項１３】
請求項１乃至請求項６いずれかのトナー供給体の着脱機構を備えたことを特徴とする画像形成装置。
【請求項１４】
請求項７乃至請求項１２いずれかに記載のトナー供給体が装着されることを特徴とする画像形成装置。
【発明の詳細な説明】
【技術分野】
【０００１】
本発明は、トナーの供給される現像ユニット等の現像部に装着されるトナー供給体及びその着脱機構に関する。
【背景技術】
【０００２】
トナーを用いる電子写真方式の複写機やプリンタ等では、現像部として交換可能な現像ユニットを用いることが一般的となっている。
このような現像ユニットでは、印刷によってトナーが減少するとトナーを補充する必要が生じるため別体のトナーカートリッジを交換可能に装着できる構成を有している。
【０００３】
トナーカートリッジとしては、下記特許文献に示すものが知られている。即ち、このトナーカートリッジは、トナーを供給するための供給用開口部が設けられているカートリッジ本体と、トナーが収容されてカートリッジ本体内に回動操作可能に挿入され、回動操作で上記供給用開口部に整合される開口部を有するトナータンクとを備えている。
そして、現像ユニットの受給開口部の設けられたケーシングに、上記供給用開口部を受給開口部に整合させて、カートリッジ本体を装着し、更にトナータンクを回動操作して開口部を整合させることにより、トナータンク内のトナーを現像ユニット内に供給している。
【特許文献１】特開平１１−８４８３８号公報
【発明の開示】
【発明が解決しようとする課題】
【０００４】
ところで、トナーカートリッジを現像ユニットから取り外す際には、トナータンクを逆方向に回動操作してその開口部を移動させてタンク周壁面にてカートリッジ本体の供給用開口部を内方から閉塞し、その後、カートリッジ本体を取り外している。
【０００５】
しかし、このように供給用開口部を内方から閉塞するだけでは、供給用開口部の縁部や閉塞に利用する上記周壁面にはトナーが付着していることが多いため、取り外し作業中にトナーカートリッジに振動等の外力が加わると、付着していたトナーが現像ユニットや装置内部に落下したり、衣服等に再付着する欠点があった。
【０００６】
本発明の目的は、現像部からの取り外し時にトナーが落下することのない構造のトナー供給体及びその着脱機構を提供することにある。
【課題を解決するための手段】
【０００７】
本発明は、トナーを供給するための供給用開口部が設けられているトナー保持体と、前記トナー保持体内に回動操作可能に配置され、前記回動操作で前記供給用開口部を内方から開閉する内側開閉体とを備えるトナー供給体を、トナーを受給するための現像部に装着する着脱機構であって、前記トナー供給体に設けられ、前記供給用開口部を外方から閉塞し、かつ開放位置まで移動可能に取り付けられる外側開閉体と、該外側開閉体に設けられる第１の係合部と、前記現像部に設けられ、前記トナー供給体を前記現像部へ装着すると閉塞位置の前記外側開閉体を前記開放位置まで移動させるべく前記第１の係合部を移動案内する係合案内部と、前記内側開閉体に設けられる第２の係合部と、前記トナー供給体に設けられ、前記内側開閉体が前記供給用開口部を閉塞する位置のとき前記第２の係合部と係合する第３の係合部とを有し、前記第２、第３の係合部が係合する部分は、前記外側開閉体が前記閉塞位置のとき前記外側開閉体で覆われ、前記外側開閉体が前記開放位置のとき露出されることを特徴とするトナー供給体の着脱機構である。
【０００８】
他の発明は、トナーの受給される現像部に着脱可能に装着され、前記トナーを供給するための供給用開口部が設けられているトナー保持体と、前記トナー保持体内に回動操作可能に配置され、前記回動操作で前記供給用開口部を内側から開閉する内側開閉体とを備えるトナー供給体であって、前記トナー保持体に設けられ、前記供給用開口部を外方から閉塞し、かつ開放位置まで移動可能に取り付けられる外側開閉体と、該外側開閉体に設けられる第１の係合部と、前記内側開閉体に設けられる第２の係合部と、前記トナー供給体に設けられ、前記内側開閉体が前記供給用開口部を閉塞する位置のとき前記第２の係合部と係合する第３の係合部とを有し、前記トナー供給体を前記現像部へ装着すると、前記第１の係合部は、前記現像部に設けた係合案内部により閉塞位置の前記外側開閉体を前記開放位置まで移動させるべく前記第１の係合部を移動案内され、前記第２、第３の係合部が係合する部分は、前記外側開閉体が前記閉塞位置のとき前記外側開閉体で覆われ、前記外側開閉体が前記開放位置のとき露出されることを特徴とするトナー供給体である。
【０００９】
〈説明〉
現像部は、画像形成装置に対し一体的なものでもよく、又は交換可能な現像ユニットでもよく、要はトナー供給体が着脱可能でトナーの受給開口を有していればよい。
移動用の第１の係合部は、外側開閉体の一端例でトナー保持体の端面より突出して設けるのが好ましく、この場合には係合案内部を現像部の端部側に設ける。
【発明の効果】
【００１０】
本発明によれば、装着されているトナー供給体の第１の係合部を係合案内部により逆方向へ案内すると、この案内移動に伴って開放位置の外側開閉体が閉塞位置まで移動して供給用開口部を外側から自動的に閉塞する。従って、取り外し時に供給用開口部の縁部や内側開閉体の周面にトナーが付着していても、該付着しているトナーが落下することがない。
【発明を実施するための最良の形態】
【００１１】
以下、本発明の実施形態を図を用いて詳細に説明する。
【実施例１】
【００１２】
図８は本発明を適用する画像形成装置の概略図である。この図８において、装置の筺体１内にカセット２が設けられ、カセット２内の記録媒体３がホッピングローラ４により繰り出される。ホッピングローラ４の近傍にはレジストローラ５，６が配され、これらローラにより記録媒体７が転写ローラ８まで搬送されている。転写ローラ８の上方には現像ユニット２０及び露光部９が配され、その後方にはヒートローラ１０及びバックアップローラ１１が配されている。更に、ヒートローラ１０の後方にはローラ１０による定着の終了した記録媒体１２を排紙する排紙ローラ１３，１４，１５，１６が配されている。
【００１３】
図９は上記現像ユニット２０の概略図である。この現像ユニット２０は、トナーが収容されているトナー収容部２１と、この収容部２１内のトナーを現像ローラ２２に供給するトナー供給ローラ２３と、現像ローラ２２周面のトナー厚を規制するブレード２４と、感光ドラム２５とを備えている。感光ドラム２５は帯電ローラ２６により一様に帯電され、装置本体側に設けられた露光部９により露光されて静電潜像が形成される。従って、感光ドラム２５の静電潜像が現像ローラ２２によりトナーが付着されて現像されるので、転写ローラ８を介して記録媒体７にトナー像が転写される。尚、転写後に感光ドラム２５に残留したトナーはクリーニングローラ２７により除去される。
【００１４】
ところで、現像ユニット２０には、本発明に係るトナーカートリッジ３０が着脱可能に装着されており、該カートリッジ３０内のトナーはトナー収容部２１に供給される。
図２は上記トナーカートリッジ３０の斜視図であり、図３は同カートリッジ３０の分解斜視図である。
図３において、３１は内側シャッター体を示している。この内側シャッター体３１は、断面円弧状のシャッター部３１ａを有し、このシャッター部３１ａの周面には弾性材から成るシール板３２が固着されている。内側シャッター体３１の一端には環状シール部３１ｂが設けられ、その近傍の周面には突起３１ｃが形成されている。そして、内側シャッター体３１の一端面には操作部３３が一体形成され、操作部３３の周面にレバー３３ａが設けられている。
【００１５】
上記内側シャッター体３１は環状シール部３１ｂにより液密を保持されてカートリッジ本体３４の筒部に挿入される。カートリッジ本体３４の筒部側には複数のトナー供給用の開口部３４ａが形成されている。カートリッジ本体３４の一端の挿入口部３４ｂには切り吹き穴３４ｃが形成されている。そして、カートリッジ本体３４に内側シャッター体３１が挿入された状態で、図７（Ａ）に示すように、切り吹き穴３４ｃに突起３１ｃを挿入させるので、内側シャッター体３１がその回動を阻止され、かつ所定位置に挿入される。また、このように内側シャッター体３１を所定位置に挿入することで、カートリッジ本体３４の開口部３４ａは内側シャッター体３１のシール板３２（周面）により内方から閉塞される。
【００１６】
カートリッジ本体３４の他端にはシール部材３５を介して閉塞蓋３６が嵌合されている。トナーはこの閉塞蓋３６の開口から導入されてカートリッジ本体３４内に充填され、閉塞蓋３６の開口にキャップ３７が螺合される。尚、閉塞蓋３６の上方には係合リブ３８が設けられ、この係合リブ３８は現像ユニット２０への装着時にその枠体上部に設けた係入リブ２８（図５参照）に係入される。
【００１７】
さて、閉塞蓋３６には円弧形状の案内レール４０Ａが一体的に形成され、又カートリッジ本体３４の挿入口部３４ｂの周面には同様に円弧形状の案内レール４０Ｂが形成されている。そして、両案内レール４０Ａ、４０Ｂとカートリッジ本体３４の周面との間には、シャッター部材４１の両端が挿入されている（図１０参照）。このシャッター部材４１は両案内レール４０Ａ，４０Ｂに案内されてカートリッジ本体３４の筒部の外方周面に沿って移動可能であり、非装着時にはカートリッジ本体３４の開口部３４ａを外方から閉塞する位置に位置決めされる。尚、シャッター部材４１のストッパ４１ａは案内レール４０Ｂの端面に当接してシャッター部材４１の抜け出しを防止している。
【００１８】
シャッター部材４１の一端には、図１及び図２に示すように、操作部３３よりも突出する係合部４２が一体的に形成されている。一方、現像ユニット２０の枠体の一端側の内方には図１及び図４に示すように、係合案内部４３が設けられている。この係合案内部４３は本体４３Ａの上端の上方位置から斜め下方に伸長する別体の案内棒４３ａと、本体４３Ａの上端から案内棒４３ａに対し平行に伸長する他の案内棒４３ｂとから成る。これらの案内棒４３ａ、４３ｂ及び本体４３Ａは、本実施例では、図１（ｂ）に示すように、現像ユニット２０の枠体の内側壁面に固定されている。そして、係合部４２はトナーカートリッジ３０の装着時に両案内棒４３ａ、４３ｂの間に係入され、トナーカートリッジの装着に伴い斜め下方へ案内されることで時計方向へ徐々に移動するので、シャッター部材４１が開口部３４ａの閉塞位置から開放位置まで移動することになる。
【００１９】
トナーカートリッジ３０を装着するための現像ユニット２０の枠体上面には、図７（Ｂ）に示すように、断面円弧状の装着枠部２９が形成されている。この装着枠部２９の中央には押圧突起２９ａが設けられ、この押圧突起２９ａは、トナーカートリッジ３０の装着時にシャッター部材４１が上記したように移動するので、これにより露出した内側シャッター体３１の突起３１ｃを内方へ押し込み、内側シャッター体３１の回動操作を可能にする。
【００２０】
装着枠部２９には、トナーを受給するための受給開口部（図示せず）が形成されており、これによりトナーカートリッジ３０から供給されるトナーを内部に受け入れる。尚、装着枠部２９の凹壁面には受給開口部を囲んだ状態で弾性シール部材４４が固着されている。
【００２１】
次に、本発明に係るトナーカートリッジ３０の装着動作を図４乃至図７を参照して説明する。
【００２２】
先ず、図４及び図５に示すように、トナーカートリッジ３０のカートリッジ本体３４の一端のリブ３８（図２参照）を、現像ユニット２０の端部のリブ２８に係入させてカートリッジ本体３４の一端を装着枠部２９内に収納する。
【００２３】
次に、図６（Ａ）に示すように、シャッター部材４１に形成した係合部４２を、係合案内部４３の案内棒４３ａ、４３ｂの間に係入する。この状態ではカートリッジ本体３４の開口部３４ａが、シール板３２及びシャッター部材４１により内方及び外方から閉塞されている。
【００２４】
次いで、同図（Ｂ）に示すように、カートリッジ本体３４の他端（操作部３３を設けた端部）を押し下げると、この押下げ量に応じて係合部４２が案内棒４３ａ、４３ｂにより斜め下方に案内されながらカートリッジ本体３４上で時計方向に回動を開始する。従って、シャッター部材４１が閉塞位置から移動を開始し、これにより内側シャッター体３１の突起３１ｃが露出する。
【００２５】
次に、同図（Ｃ）に示すように、カートリッジ本体３４の先端を押し下げて該本体３４を装着枠部２９に収容し、装着が終了すると、係合部４２が更に案内されて図示位置まで回動し、これによりシャッター部材４１がカートリッジ本体３４上で開放位置まで移動する。
【００２６】
このようにトナーカートリッジ３０の装着が終了すると、図７（Ｂ）に示すように、装着枠部２９に設けた押圧突起２９ａが内側シャッター体３１の露出した突起３１ｃを内方へ押し込み、該突起３１ｃを切り吹き穴３４ｃから外す。これにより、内側シャッター体３１の回動が可能となる。従って、図６（Ｄ）に示すように、操作部３３のレバー３３ａを時計方向に回動操作すると内側シャッター体３１が回動してシール板３２が移動するので、カートリッジ本体３４の開口部３４ａが開口する。従って、トナーカートリッジ３０内のトナーが装着枠部２９の図示しない受給開口部を介して現像ユニット２０内に落下し、供給される。
【００２７】
尚、係合案内部４３の本体４３Ａは、トナーカートリッジ３０の装着時に、図１及び図６（Ｃ）に示すように、操作部３３のリブ切欠部３３ｂを介してリブ３３ｃ、３３ｄ間に入り込む。従って、レバー３３ａを回動操作した場合、図６（Ｄ）に示すように、リブ３３ｃが本体４３Ａに当接するので、内側シャッター体３１の回動を規制することができる。また、この回動規制状態では、係合案内部４３の本体４３Ａ下端部の下方にリブ３３ｃの円弧部３３ｅが入り込んでいるので、この円弧部３３ｅによりトナーカートリッジの取り外しを阻止することができる。従って、開口部３４ａが開口した状態でトナーカートリッジ３０を取り外すのを阻止することができる。
【００２８】
ところで、上記トナーカートリッジ３０の交換時には、レバー３３ａを逆方向へ回動操作して図６（Ｃ）で示す位置まで戻す。これにより、内側シャッター体３１が逆方向に回動するので、シール板３２がカートリッジ本体３４の開口部３４ａを内方から閉塞すると共にトナーカートリッジ３０の取り外しが可能となる。この閉塞時には、開口部３４ａの縁部やシール板３２の表面にトナーが付着していることがある。
【００２９】
レバー３３ａを逆方向へ回動操作した後には、トナーカートリッジ３０を装着枠部２９より取り外すべく上方へ持ち上げる。これにより、係合部４２が両案内棒４３ａ、４３ｂにより斜め上方に案内されながらカートリッジ本体３４上で反時計方向に回動するので、開放位置のシャッター部材４１は、図６（Ａ）で示す閉塞位置まで移動する。従って、カートリッジ本体３４の開口部３４ａがシャッター部材４１により外方から閉塞されるので、例え、開口部３４ａの縁部等にトナーが付着していてもその落下を防止することができる。
【００３０】
本実施例によれば、係合部４２と、この係合部４２を案内する一対の案内棒４３ａ、４３ｂによりシャッター部材４１を移動させるようにしたので、安価な構造でありながらトナーの落下を確実に防止することができる。
【実施例２】
【００３１】
図１０は本発明の他の実施例に係るトナーカートリッジ３０を示し、図１１はその要部の拡大断面図である。
【００３２】
この実施例において、シャッター部材４１の開口部３４ａと対向する板面には、発泡ウレタンスポンジ材から成るシール部材４５が固着されている。また、シャッター部材４１の両端部において反対側の板面には係入突起４１ｂが設けられている。一方、シャッター部材４１の端部の係入される案内レール４０Ｂ、４０Ａには、上記係入突起４１ｂが係入される凹部４６が形成されている。即ち、シャッター部材４１が開口部３４ａ（図３参照）を閉塞する閉塞位置では、係入突起４１ｂが凹部４６に係入されている。
【００３３】
従って、例えば、トナーカートリッジ３０の搬送時に大きな振動が加わったり落下等で衝撃力が加わっても、シャッター部材４１を閉塞位置に確実に保持させておくことができる。よって、搬送中に内側シャッター体３１のロック（突起３１ｃ）が外れて該内側シャッター体３１が回動した場合でもトナーが漏れ出るのを防ぐことができる。
【００３４】
ところで、案内レール４０Ｂ、４０Ａとカートリッジ本体３４の周面との間隔をｈ、シャッター部材４１の板厚をｔ３、上記係入突起４１ｂの突出する寸法をｔ４、シール部材４５の非圧縮時の厚さをｔ５、及びその圧縮限界厚さをｔ６とすると、
ｔ３＋ｔ４＋ｔ５＞ｈ・・・・・（１）
ｈ−（ｔ３＋ｔ４）＞ｔ６・・・（２）
の関係を有している。
【００３５】
このような寸法関係を有することで、シャッター部材４１を閉塞位置に確実に保持でき、又シール部材４５を圧縮することで係入突起４１ｂを凹部４６から円滑に外して係合部４２を係合案内部４３により案内することができる。係入突起４１ｂの位置に係合部４２を設けることも可能である。
【実施例３】
【００３６】
上記実施例２では、図１３（Ｂ）に示すように、シャッター部材４１の全面にシール部材４５を固着している。このため、トナーカートリッジ３０の装着及び取り外し時には、シール部材４５の大きな面がカートリッジ本体３４の周面と摺接するため、係合部４２を係合案内部４３によって案内させる場合、大きな押圧力又は持上力が必要となる虞れがある。
【００３７】
また、図１３（Ｂ）に示すように、シャッター部材４１の全面をシール部材４５により覆った場合、取り外し時にシャッター部材４１が開口部３４ａを閉塞するために移動すると、開口部３４ａの通過時にシール部材４５の端面にトナー５０が付着し、落下する虞れがあった。
【００３８】
そこで、本実施例では図１２に示すように、シャッター部材４１よりも長さ寸法及び幅寸法の小さい枠状のシール材４７を、該シャッター部材４１に固着している。そして、このシール材４７は、図１２及び１３に示すように、カートリッジ本体３４の開口部３４ａを僅かに閉じる寸法の中抜き形状を有している。
【００３９】
本発明に係る枠状のシール材４７は、カートリッジ本体３４の周面との摺接面積が小さくなっている。従って、トナーカートリッジ３０を小さな負荷を加えるだけで装着及び取り外すことが可能である。
【００４０】
また、図１３（Ａ）に示すように、このシール材４７は、シャッター部材４１よりも小さな寸法を有しているので、取り外し時に開口部３４ａ縁部や内側のシール板３２に付着していたトナー５０が、その端面に再付着してもシャッター部材４１の端部により落下を防ぐことができる。
【００４１】
尚、上記シール材４７を実施例１のシャッター部材に固着するようにしてもよい。
【図面の簡単な説明】
【００４２】
【図１】（Ａ）は本発明の実施例１に係るトナーカートリッジの着脱機構の斜視図であり、（Ｂ）は同着脱機構を形成する係合案内部の取付状態を示す断面図である。
【図２】同トナーカートリッジの斜視図である。
【図３】同トナーカートリッジの分解斜視図である。
【図４】同トナーカートリッジの現像ユニットへの装着開始時の斜視図である。
【図５】現像ユニットの一端部を示す斜視図である。
【図６】同トナーカートリッジの着脱機構の動作説明図である。
【図７】本発明に係る内側シャッター体のロック構造を示す断面図である。
【図８】画像形成装置の概略図である。
【図９】本発明に係る現像ユニットの概略図である。
【図１０】本発明の実施例２に係るトナーカートリッジの側面図である。
【図１１】同実施例２に係る要部の断面図である。
【図１２】本発明の実施例３に係る要部の説明図である。
【図１３】（Ａ）は実施例３に係る部分断面図であり、（Ｂ）は実施例２に係る部分断面図である。
【符号の説明】
【００４３】
２０  現像ユニット
２９  装着枠部
２９ａ  押圧突起
３０  カートリッジ
３１  内側シャッター体
３１ａ、３４ａ  開口部
３１ｃ  突起
３２  シール板
３３  操作部
３３ａ  レバー
３４  カートリッジ本体
３４ｃ  切り吹き穴
３６  閉塞蓋
４０Ａ、４０Ｂ  案内レール
４１  シャッター部材
４１ｂ  係入突起
４２  係合部
４３ａ、４３ｂ  案内棒
４４  弾性シール板
４５  シール部材
４６  凹部
４７  シール材
【図１】
2006343560.tif 000003
【図２】
2006343560.tif 000004
【図３】
2006343560.tif 000005
【図４】
2006343560.tif 000006
【図５】
2006343560.tif 000007
【図６】
2006343560.tif 000008
【図７】
2006343560.tif 000009
【図８】
2006343560.tif 000010
【図９】
2006343560.tif 000011
【図１０】
2006343560.tif 000012
【図１１】
2006343560.tif 000013
【図１２】
2006343560.tif 000014
【図１３】
2006343560.tif 000015